(57)【要約】【課題】デジタル監視レコーダにおいて、監視カメラのライブ映像を公衆回線にアクセス可能な端末を用いてどこからでもリアルタイムに閲覧できる。【解決手段】デジタル監視レコーダ１０は、監視エリアの静止画像を取込むキャプチャ処理部１２と、監視エリア内の動きを検出しアラーム情報を生成する動き検出部１４と、動き検出部１４からのアラーム情報を含む監視情報ファイルを生成する仮想ドライブ１６と、制御部１９を備えている。制御部１９は、所定時間経過毎に、キャプチャ処理部１２により静止画像を取込むと共に仮想ドライブ１６に監視情報ファイルを生成し、静止画像と監視情報ファイルをＷｅｂサーバ６０へ送信する。Ｗｅｂサーバ６０は、アクセス端末７０から接続要求を受けている間、静止画像と監視情報ファイルを受信する都度、その静止画像と監視情報ファイルをアクセス端末７０にリアルタイムに転送する。【選択図】　　　図１
2004146959.tif 000002
【特許請求の範囲】
【請求項１】
所定の監視エリアを撮影するカメラと、このカメラによる撮影画像データをインターネット網を介して接続されたサーバ装置へアップロードする制御手段とを備え、アクセス端末からのブラウザ表示要求に応じて前記サーバ装置にアップロードされている撮影画像データを該アクセス端末に転送することを可能とするデジタル監視レコーダにおいて、
複数台のカメラによる撮影画像を静止画像データとして取り込むキャプチャ手段と、
前記キャプチャ手段により取り込んだ静止画像データに基づいて前記監視エリア内の物体の動きを検出しアラーム情報を生成する動き検出手段と、
前記カメラを識別するカメラコード及び前記動き検出手段が出力したアラーム情報を含む監視情報ファイルを生成する監視情報ファイル生成手段とを備え、
前記制御手段は、所定時間経過毎に、前記キャプチャ手段による前記静止画像データの取り込みを行い、この静止画像データに基づいて前記動き検出手段によるアラーム情報を生成し、このアラーム情報に基づいて前記監視情報ファイル生成手段による監視情報ファイルの生成を行い、この静止画像データ及びこの監視情報ファイルを前記サーバ装置へアップロードすることを特徴とするデジタル監視レコーダ。
【請求項２】
所定の監視エリアを撮影するカメラと、このカメラによる撮影画像データを通信回線網を介して接続されたサーバ装置へアップロードする制御手段とを備え、アクセス端末からの要求に応じて前記サーバ装置にアップロードされている撮影画像データを該アクセス端末に転送することを可能とするデジタル監視レコーダにおいて、
前記カメラによる撮影画像を静止画像データとして取り込むキャプチャ手段を備え、
前記制御手段は、所定時間経過毎に、前記キャプチャ手段による前記静止画像データの取り込みを行い、その静止画像データを前記サーバ装置へアップロードすることを特徴とするデジタル監視レコーダ。
【請求項３】
前記キャプチャ手段により取り込んだ静止画像データに基づいて前記監視エリア内の物体の動き検出しアラーム情報を生成する動き検出手段をさらに備え、
前記制御手段は、所定時間経過毎に、前記静止画像データ及び前記動き検出手段により生成されたアラーム情報を前記サーバ装置へアップロードすることを特徴とする請求項２に記載のデジタル監視レコーダ。
【発明の詳細な説明】
【０００１】
【発明の属する技術分野】
本発明は、監視カメラで撮影した映像を情報通信ネットワーク上に配信し、監視カメラで撮影した映像を情報通信ネットワークに接続されるアクセス端末により閲覧可能とするデジタル監視レコーダに関する。
【０００２】
【従来の技術】
従来から、監視カメラが撮影した映像をインターネット網を介してＷｅｂサーバにアップロードし、インターネット網に接続可能なアクセス端末からＷｅｂサーバにアクセスすることで、監視区域から遠隔の場所にて監視カメラの映像を見ることができる監視システムがある。この種の監視システムは、監視カメラが撮影した動画像をＷｅｂサーバへアップロードし、Ｗｅｂサーバがアクセス端末からの要求を受けてその動画像をアクセス端末にダウンロードし、アクセス端末がブラウザ表示機能によりその動画像を表示するようにしたものが知られている。
【０００３】
また、画像情報提供システムに関し、カメラが撮像した一定時間分（例えば１５分）の画像データを一定時間おきにプロバイダのホームページ領域にアップロードし、カメラが撮像した画像を携帯情報端末で閲覧できるようにしたものが知られている（例えば、特許文献１参照）。また、幼児の様子をモニタリングする幼児管理システムに関し、カメラにより撮像した幼児の撮影画像を毎日、毎週、特定の曜日、特定の日時のように定期的なスケジュールで管理サーバにアップロードして所定のホームページ上に掲載するようにしたものが知られている（例えば、特許文献２参照）。
【０００４】
【特許文献１】
特開２００２−１０２４１号公報
【特許文献２】
特開２００２−１４９９０９号公報
【０００５】
【発明が解決しようとする課題】
ところが、上述した従来の監視システムにおいては、動画を扱うために画像データ量が膨大となり、実用的コストでシステムを構築することが困難であると共に、画像データの配信に問題を生じることがあった。また、上述した特許文献１に記載の画像提供システムにおいては、一定時間分蓄積したカメラの撮影画像を一定時間おきに転送するため、カメラが撮影した画像をリアルタイムに閲覧することができなかった。また、上述した特許文献２に記載の幼児管理システムにおいては、カメラの撮影画像を毎日、毎週、特定の曜日、特定の日時のように定期的なスケジュールで管理サーバに送信するため、特許文献１に記載のシステムと同様に、カメラが撮影した画像をリアルタイムに閲覧することができなかった。なお、特許文献１及び特許文献２には、扱う画像が静止画でもよい旨が記載されているが、静止画をどのように扱い処理してホームページ上で閲覧可能にするかについては、具体的内容が何等開示されていない。
【０００６】
本発明は、上記課題を解決するためになされたものであり、カメラで撮影した映像の静止画像をリアルタイムに公衆回線を通じてサーバ装置に配信することにより、実用的コストでシステムを構築できると共に、カメラで撮影したライブ映像を公衆回線にアクセス可能な端末を用いてどこからでもリアルタイムに閲覧することを可能とするデジタル監視レコーダを提供することを目的とする。
【０００７】
【課題を解決するための手段】
上記目的を達成するために請求項１の発明は、所定の監視エリアを撮影するカメラと、このカメラによる撮影画像データをインターネット網を介して接続されたサーバ装置へアップロードする制御手段とを備え、アクセス端末からのブラウザ表示要求に応じてサーバ装置にアップロードされている撮影画像データを該アクセス端末に転送することを可能とするデジタル監視レコーダにおいて、複数台のカメラによる撮影画像を静止画像データとして取り込むキャプチャ手段と、キャプチャ手段により取り込んだ静止画像データに基づいて監視エリア内の物体の動きを検出しアラーム情報を生成する動き検出手段と、カメラを識別するカメラコード及び動き検出手段が出力したアラーム情報を含む監視情報ファイルを生成する監視情報ファイル生成手段とを備え、制御手段は、所定時間経過毎に、キャプチャ手段による静止画像データの取り込みを行い、この静止画像データに基づいて動き検出手段によるアラーム情報を生成し、このアラーム情報に基づいて監視情報ファイル生成手段による監視情報ファイルの生成を行い、この静止画像データ及びこの監視情報ファイルをサーバ装置へアップロードするものである。
【０００８】
この構成においては、所定時間経過毎に、複数の監視エリアの静止画像データが取り込まれて、それらの静止画像データに基づく物体の動きの検出状態を示すアラーム情報を含む監視情報ファイルが生成される。そして、これらの静止画像データと監視情報ファイルは、逐次、インターネット網を介してサーバ装置へアップロードされる。すなわち、サーバ装置には、所定時間経過毎に新しい静止画像データとその静止画像データに基づくアラーム情報を含む監視情報ファイルがリアルタイムにアップロードされる。サーバ装置は、アクセス端末からの要求を受けてアクセス端末と接続している状態において、新しい静止画像データと監視情報ファイルがアップロードされる都度、その静止画像データと監視情報ファイルをアクセス端末にリアルタイムに転送する。これにより、アクセス端末では、サーバ装置への接続中、監視エリアの最新の静止画像とアラーム情報がリアルタイムに表示される。
【０００９】
請求項２の発明は、所定の監視エリアを撮影するカメラと、このカメラによる撮影画像データを通信回線網を介して接続されたサーバ装置へアップロードする制御手段とを備え、アクセス端末からの要求に応じてサーバ装置にアップロードされている撮影画像データを該アクセス端末に転送することを可能とするデジタル監視レコーダにおいて、カメラによる撮影画像を静止画像データとして取り込むキャプチャ手段を備え、制御手段は、所定時間経過毎に、キャプチャ手段による静止画像データの取り込みを行い、その静止画像データをサーバ装置へアップロードするものである。
【００１０】
この構成においては、所定時間経過毎に、監視エリアの静止画像データが取り込まれ、その静止画像データが、逐次、通信回線網を介してサーバ装置へリアルタイムにアップロードされる。サーバ装置は、アクセス端末からの要求を受けてアクセス端末と接続している状態において、新しい静止画像データがアップロードされる都度、その静止画像データをアクセス端末にリアルタイムに転送する。これにより、アクセス端末では、サーバ装置への接続中、監視エリアの最新の静止画像がリアルタイムに表示される。
【００１１】
請求項３の発明は、請求項２に記載のデジタル監視レコーダにおいて、キャプチャ手段により取り込んだ静止画像データに基づいて監視エリア内の物体の動き検出しアラーム情報を生成する動き検出手段をさらに備え、制御手段は、所定時間経過毎に、静止画像データ及び動き検出手段により生成されたアラーム情報をサーバ装置へアップロードするものである。
【００１２】
この構成においては、監視エリアの静止画像データと共にその静止画像データに基づく物体の動きの検出状態を示すアラーム情報がサーバ装置へアップロードされる。サーバ装置は、アクセス端末からの要求を受けてアクセス端末と接続している状態において、新しい静止画像データと共にアラーム情報がアップロードされる都度、静止画像データと共に監視情報ファイルをアクセス端末にリアルタイムに転送する。これにより、アクセス端末では、サーバ装置への接続中、監視エリアの最新の静止画像と共にアラーム情報が表示される。
【００１３】
【発明の実施の形態】
以下、本発明を具体化した実施形態について図面を参照して説明する。図１において、デジタル監視レコーダ１０は、複数台の監視カメラ１１ａ〜１１ｄによる撮影画像等を所定のデータに加工処理したうえ、インターネット網（通信回線網）５０を介してＷｅｂサーバ６０へアップロードするものである。Ｗｅｂサーバ６０は、アップロードされたデータをアクセス端末７０からの要求に応じてインターネット網５０を介してアクセス端末７０へダウンロードする。アクセス端末７０は、Ｗｅｂサーバ６０からダウンロードされたデータに基づく画像を表示する。これらデジタル監視レコーダ１０、Ｗｅｂサーバ６０、及びアクセス端末７０により遠隔監視システムが構成されている。
【００１４】
デジタル監視レコーダ１０は、４台の監視カメラ１１ａ〜１１ｄと、キャプチャ処理部１２と、フレーム画像処理部１３と、動き検出部１４と、ＭｏｔｉｏｎＪＰＥＧ（Ｊｏｉｎｔ　Ｐｈｏｔｏｇｒａｐｈｉｃ　Ｅｘｐｅｒｔｓ　Ｇｒｏｕｐ）作成部１５と、仮想ドライブ（監視情報ファイル生成手段）１６と、補助記憶装置１７と、送信部１８と、これら各部の動作を制御する制御部１９とを備えている。
【００１５】
監視カメラ１１ａ〜１１ｄは、所定のエリアを撮影するものであり、例えば一般の家屋においては、玄関、勝手口、リビング、ベランダ等の各所に設置され、それらの監視エリアを撮影する。監視カメラ１１ａ〜１１ｄには、各々を識別すると共に各監視エリアを示すカメラコードが付与されている。キャプチャ処理部１２は、監視カメラ１１ａ〜１１ｄによる撮影画像をフレーム画像（静止画像）データとして取り込む。キャプチャ処理部１２によるフレーム画像データの取り込みタイミングは、制御部１９により制御され、所定時間（例えば５秒）毎にフレーム画像データを取り込むように制御される。フレーム画像処理部１３は、キャプチャ処理部１２で取り込んだフレーム画像データを仮想ドライブ１６で扱う形式のデータに変換処理する。ＭｏｔｉｏｎＪＰＥＧ作成部１５は、キャプチャ処理部１２で取り込んだフレーム画像データをＭｏｔｉｏｎＪＰＥＧ方式で圧縮処理し、圧縮画像データから成るＭｏｔｉｏｎＪＰＥＧファイルを作成する。
【００１６】
動き検出部１４は、キャプチャ処理部１２で取り込んだフレーム画像データを基に、監視エリア内の物体の動き（例えば人の動きやドア、窓の開閉等）を検出しアラーム情報を出力する。物体の動きの検出は、今回取り込んだフレーム画像データを前回取り込んだフレーム画像データと比較することにより行われ、画像データに変化がある場合には、人の動きやドア、窓の開閉等の何らかの物体の動きがある（異常がある）と判断され、画像データに変化がない場合には、物体の動きがない（異常がない）と判断される。そして、異常がある場合には、カメラコード、「異常あり」を示すコード、及び異常検出時刻から成るアラーム情報が出力され、異常がない場合には、カメラコード、及び「異常なし」を示すコードから成るアラーム情報が出力される。これら動き検出部１４による監視エリア内の物体の動きの検出とアラーム情報の出力は、キャプチャ処理部１２によりフレーム画像データが取り込まれる毎に、各監視エリアに対して行われる。
【００１７】
仮想ドライブ１６は、ＲＡＭドライブで構成されており、制御部１９による制御のもと、監視カメラ１１ａ〜１１ｄを識別するカメラコードと動き検出部１４から出力されたアラーム情報を含むカメラ情報ファイル（監視情報ファイル）を生成する。また、仮想ドライブ１６は、制御部１９による制御のもと、監視カメラ１１ａ〜１１ｄから取り込んだフレーム画像データとカメラ情報ファイルを、Ｗｅｂサーバ６０へホームページとしてアップロードするためのＨＴＭＬ言語で記述された情報に加工処理する。
【００１８】
Ｗｅｂサーバ６０にホームページとしてアップロードされた情報は、アクセス端末７０からの要求に応じてアクセス端末７０にダウンロードされて、アクセス端末７０のブラウザ表示ソフトウェアに解読されることにより、その解読に基づいた画像としてアクセス端末７０に表示される情報である。すなわち、Ｗｅｂサーバ６０にアップロードする情報は、アクセス端末７０に所望の表示形態で画面表示させるための情報である。仮想ドライブ１６は、アクセス端末７０でブラウザ表示ソフトウェアの解読によりディスプレイ７１に表示させたとき、例えば図２に示すように、カメラコード２１ａ〜２１ｄ、撮影画像２２ａ〜２２ｄ、及びアラーム情報２３ａ〜２３ｄを対応付けて１画面に表示されるようにフレーム画像データとカメラ情報をアップロード用の情報に加工処理する。これらカメラ情報ファイルの生成、及び画像データとカメラ情報ファイルのアップロード用の情報への加工処理は、制御部１９による制御のもと、キャプチャ処理部１２によりフレーム画像データが取り込まれる毎に行われる。
【００１９】
また、仮想ドライブ１６は、制御部１９による制御のもと、ＭｏｔｉｏｎＪＰＥＧ作成部１５により作成されたＭｏｔｉｏｎＪＰＥＧファイルを所定メモリ領域に記憶する。仮想ドライブに１６には、所定フレーム（例えば１２０フレーム）分のＭｏｔｉｏｎＪＰＥＧファイルが蓄積記憶される。
【００２０】
補助記憶装置１７は、ＨＤＤで構成されており、制御部１９による制御のもと、仮想ドライブ１６に所定フレーム（例えば１２０フレーム）分のＭｏｔｉｏｎＪＰＥＧファイルが蓄積される毎に、それら仮想ドライブ１６に記憶されている所定フレーム分のＭｏｔｉｏｎＪＰＥＧファイルを記憶する。補助記憶装置１７には、例えば５秒毎にフレーム画像が取り込まれるとした場合、約１週間分のＭｏｔｉｏｎＪＰＥＧファイルが蓄積される。送信部１８は、電話回線等の公衆回線を介して、インターネット網５０に接続するためのＩＳＰ（Ｉｎｔｅｒｎｅｔ　Ｓｅｒｖｉｃｅ　Ｐｒｏｖｉｄｅｒ）４１と接続されており、制御部１９による制御のもと、この送信部１８を通じて各種情報がインターネット網５０に配信される。
【００２１】
制御部１９は、上記各部を制御し、所定時間（例えば５秒）経過毎に、監視カメラ１１ａ〜１１ｄによる撮影画像をキャプチャ処理部１２によりフレーム画像データを取り込ませ、カメラ情報ファイルを作成させ、アップロード用の情報に加工処理したフレーム画像データとカメラ情報ファイルを公衆回線、ＩＳＰ４１、及びインターネット網５０を介してＷｅｂサーバ６０へ送信させる。
【００２２】
次に、上記デジタル監視レコーダ１０の動作について、図３のフローチャートを参照して説明する。デジタル監視レコーダ１０は、制御部１９による制御のもと動作し、まず、所定時間として例えば５秒経過すると（＃１でＹＥＳ）、キャプチャ処理部１２にて監視カメラ１１ａ〜１１ｄからフレーム画像データを取り込む（＃２）。そして、デジタル監視レコーダ１０は、取り込んだフレーム画像データを基に、動き検出部１４にて監視エリア内の物体の動きを検出する（＃３）。また、取り込んだフレーム画像データを基に、ＭｏｔｉｏｎＪＰＥＧ作成部１５にてＭｏｔｉｏｎＪＰＥＧファイルを作成し（＃４）、そのＭｏｔｉｏｎＪＰＥＧファイルを仮想ドライブ１６に記憶する（＃５）。
【００２３】
デジタル監視レコーダ１０は、監視カメラ１１ａ〜１１ｄに付与されているカメラコードと＃３における動き検出の結果、出力されるアラーム情報とを基に、仮想ドライブ１６にてカメラ情報ファイルを作成する（＃６）。そして、＃２において取り込んだフレーム画像データと＃６において生成したカメラ情報ファイルを、仮想ドライブ１６にてＷｅｂサーバ６０へのアップロード用の情報に加工処理し、アップロード用に加工処理したフレーム画像データとカメラ情報を送信部１８を通じてＷｅｂサーバ６０へ転送する（＃７）。
【００２４】
また、デジタル監視レコーダ１０は、仮想ドライブ１６に記憶されているＭｏｔｉｏｎＪＰＥＧファイルが所定フレーム分に達した場合には（＃８でＹＥＳ）、それら所定フレーム分のＭｏｔｉｏｎＪＰＥＧファイルを補助記憶装置１７に記憶する（＃９）。このとき、仮想ドライブ１６に記憶されていたＭｏｔｉｏｎＪＰＥＧファイルを全て消去する。
【００２５】
以降、デジタル監視レコーダ１０は、＃１からの処理を繰り返し、これにより、５秒経過毎に、監視カメラ１１ａ〜１１ｄからフレーム画像データを取り込み、そのフレーム画像データ及びそのフレーム画像データによるカメラ情報ファイルをアップロード用の情報に加工処理し、逐次、Ｗｅｂサーバ６０へ転送する。また、フレーム画像を圧縮したＭｏｔｉｏｎＪＰＥＧファイルを補助記憶装置１７に蓄積記憶してゆく。
【００２６】
次に、Ｗｅｂサーバ６０について説明する。Ｗｅｂサーバ６０は、デジタル監視レコーダ１０から送信されてきたフレーム画像データとアラーム情報をホームページとしてアップロードし、このアップロードされたフレーム画像データとアラーム情報をアクセス端末７０からのブラウザ表示要求に応じてアクセス端末７０にダウンロードするものである。このＷｅｂサーバ６０は、送受信部６１と、記憶装置６２と、これら各部の動作を制御する制御部６３とを備えている。
【００２７】
送受信部６１は、インターネット網５０への接続を行うものであり、制御部６３による制御のもと、この送受信部６１を通じて各種情報がインターネット網５０との間で送受信される。記憶装置６２は、制御部６３による制御のもと、デジタル監視レコーダ１０から送られてきたフレーム画像データとカメラ情報ファイルをＵＲＬ（Ｕｎｉｆｏｒｍ　Ｒｅｓｏｕｒｃｅ　Ｌｏｃａｔｏｒ）アドレスで指定されるメモリ領域内（ホームページ領域内）に記憶（アップロード）する。これにより、デジタル監視レコーダ１０から送信されてきたフレーム画像データとカメラ情報ファイルは、Ｗｅｂサーバ６０にホームページとして掲載される。また、記憶装置６２は、パスワード入力画面をアクセス端末７０に表示させるための画像データを記憶している。
【００２８】
制御部６３は、上記各部を制御し、デジタル監視レコーダ１０からフレーム画像データとカメラ情報ファイルを送受信部６１を通じて受信すると、記憶装置６２のホームページ領域内に記憶している情報を更新する。この更新処理は、フレーム画像データについては、受信の都度、受信した最新のフレーム画像データに更新する。また、カメラ情報ファイルについては、受信したカメラ情報ファイルに含まれるアラーム情報が「異常なし」を示していれば更新せず、受信したカメラ情報ファイルに含まれるアラーム情報が「異常あり」を示していれば、受信したカメラ情報ファイルに更新する。これにより、記憶装置６２のホームページ領域には、フレーム画像データについては最新のデータが記憶されると共に、カメラ情報については「異常あり」を示す最新の情報が保持される（異常がなかった場合には、「異常なし」を示す情報が保持される）。また、制御部６３は、アクセス端末７０からのＵＲＬアドレスの指定に基づく接続要求を送受信部６１を通じて受信すると、記憶装置６２のホームページ領域内に記憶しているフレーム画像データとカメラ情報ファイルを送受信部６１を通じてアクセス端末７０へ送信する。
【００２９】
上記Ｗｅｂサーバ６０の動作について、図４のフローチャートを参照して説明する。Ｗｅｂサーバ６０は、制御部６３による制御のもとに動作し、まず、送受信部６１を通じてアクセス端末７０から接続要求を受信したか否かを判断する（＃１１）。
【００３０】
そして、Ｗｅｂサーバ６０は、アクセス端末７０から接続要求を受信しなければ（＃１１でＮＯ）、送受信部６１を通じてデジタル監視レコーダ１０からフレーム画像データとカメラ情報ファイルを受信したか否かを判断する（＃１２）。フレーム画像データとカメラ情報ファイルを受信した場合には（＃１２でＹＥＳ）、記憶装置６２のホームページ領域に記憶されている情報を更新する（＃１３）。また、フレーム画像データとカメラ情報ファイルを受信しなかった場合には（＃１２でＮＯ）、＃１１及び＃１２における判断を繰り返す。
【００３１】
また、Ｗｅｂサーバ６０は、アクセス端末７０から接続要求を受信すれば（＃１１でＹＥＳ）、アクセス端末７０との接続を開始し（＃１４）、パスワードの入力画面の画像データをアクセス端末７０へ転送する（＃１５）。そして、アクセス端末７０からのパスワードが合致するか否かを判断し（＃１６）、パスワードが合致すれば（＃１６でＹＥＳ）、記憶装置６２のホームページ領域に記憶されている情報を読出し、送受信部６１を通じてアクセス端末７０へ転送する（＃１７）。
【００３２】
その後、Ｗｅｂサーバ６０は、アクセス端末７０から接続遮断要求を受信したか否かを判断し（＃１８）、接続遮断要求を受信しなければ（＃１８でＮＯ）、デジタル監視レコーダ１０からフレーム画像データとカメラ情報ファイルを受信したか否かを判断する（＃１９）。
【００３３】
そして、Ｗｅｂサーバ６０は、デジタル監視レコーダ１０からフレーム画像データとカメラ情報ファイルを受信すると（＃１９でＹＥＳ）、記憶装置６２のホームページ領域に記憶されている情報を更新し（＃２０）、記憶装置６２のホームページ領域に記憶されている情報（更新された情報）を読出し、アクセス端末７０へ転送する（＃１７）。以降、＃１８からの処理を繰り返すことにより、Ｗｅｂサーバ６０は、アクセス端末７０との接続状態においてデジタル監視レコーダ１０からフレーム画像データとカメラ情報ファイルを受信すると、その都度、最新の情報をアクセス端末７０へ転送する。
【００３４】
Ｗｅｂサーバ６０は、上記＃１８においてアクセス端末７０から接続遮断要求を受信した場合、及び上記＃１６においてパスワードが合致しなかった場合に、アクセス端末７０との接続を遮断し（＃２１）、＃１１からの処理を繰り返す。
【００３５】
次に、アクセス端末７０について説明する。アクセス端末７０は、Ｗｅｂサーバ６０にホームページとしてアップロードされた情報をダウンロードして、その情報を表示するものであり、画像を表示するディスプレイ７１を備え、Ｗｅｂサーバ６０からダウンロードした情報を解読してディスプレイに７１に表示させるブラウザ表示ソフトウェア７２がインストールされている。このようなアクセス端末としては、携帯電話やＰＨＳ、パーソナルコンピュータ等のインターネット網５０に接続可能な通信端末機器があり、電話回線等の公衆回線を介してＩＳＰ４２と接続可能とされている。
【００３６】
このようなアクセス端末７０で電話回線等の公衆回線及び最寄りのＩＳＰ４２を介してインターネット網５０に接続し、ＵＲＬアドレスを指定してＷｅｂサーバ６０へのアクセス要求を行うと、Ｗｅｂサーバ６０にホームページとしてアップロードされている情報がアクセス端末７０にダウンロードされる。そして、アクセス端末７０では、ダウンロードされた情報がブラウザ表示ソフトウェアにより解読されて、図２に示したような表示形態で、ディスプレイ７１にデジタル監視レコーダ１０の各監視エリアのカメラコード２１ａ〜２１ｄ、撮影画像２２ａ〜２２ｄ、及びアラーム情報２３ａ〜２３ｄが表示される。
【００３７】
このとき、デジタル監視レコーダ１０は、上述したように、５秒毎に、監視カメラ１１ａ〜１１ｄからフレーム画像データを取り込み、そのフレーム画像データとカメラ情報ファイルを、逐次、Ｗｅｂサーバ６０へ転送する。また、Ｗｅｂサーバ６０は、上述したように、アクセス端末７０との接続状態においてデジタル監視レコーダ１０からフレーム画像データとカメラ情報ファイルを受信すると、その都度、ホームページとしてアップロードする情報を更新し、更新後の情報をアクセス端末７０へ転送する。
【００３８】
これにより、アクセス端末７０には、５秒毎に最新の情報がダウンロードされ、アクセス端末７０のディスプレイ７０では、５秒毎にデジタル監視レコーダ１０の最新の撮影画像２２ａ〜２２ｄとアラーム情報２３ａ〜２３ｄが表示される。すなわち、アクセス端末７０には、デジタル監視レコーダ１０による５秒毎の撮影画像２２ａ〜２２ｄがリアルタイムに表示され、その画像は擬似ライブ映像となる。また、アラーム情報もリアルタイムに表示される。
【００３９】
なお、本発明は、上記実施形態の構成に限られず、種々の変形が可能である。実施形態において、フレーム画像の取り込みタイミングは、５秒毎に限らず、デジタル監視レコーダ、Ｗｅｂサーバ、及びアクセス端末のデータ処理能力や通信速度に応じて、例えば１秒毎や１０数秒毎等に設定してもよい。デジタル監視レコーダは、一般家屋に限らず、例えば工事現場の監視や店舗内の監視等に適用してもよい。監視カメラは４台に限らず、例えば、１台でもよく、５台以上でもよい。アクセス端末での表示形態は、図２に示した表示形態に限らず、例えば、１台の監視カメラの画像を１画面に表示する等、各種の表示形態で表示させてもよい。アラーム情報は、例えば老人の監視等においては、動きがある場合に異常なしとし、所定時間動きがない場合に異常ありとしてもよい。
【００４０】
【発明の効果】
以上説明したように請求項１の発明によれば、所定時間経過毎に監視エリアの静止画像データと物体の動きの検出状態を示すアラーム情報をインターネット網を介してサーバ装置へアップロードするため、デジタル監視レコーダのある場所に不在であっても、監視エリアのライブ映像とアラーム情報をインターネット網にアクセス可能な端末を通じてブラウザ表示機能でリアルタイムに確認することができる。また、静止画像データを扱うため、処理する画像データ量が少なくて済み、実用的コストで実現できる。
【００４１】
請求項２の発明によれば、所定時間経過毎に監視エリアの静止画像データを通信回線網を介してサーバ装置へアップロードするため、デジタル監視レコーダのある場所に不在であっても、監視エリアのライブ映像を通信回線網にアクセス可能な端末を通じてリアルタイムに確認することができる。また、静止画像データを扱うため、処理する画像データ量が少なくて済み、実用的コストで実現できる。
【００４２】
請求項３の発明によれば、監視エリアの静止画像データと共に物体の動きの検出状態を示すアラーム情報をアップロードするため、監視エリアの映像と共にアラーム情報を確認することができ、より確実に監視エリア内の異常を知ることができる。
【図面の簡単な説明】
【図１】本発明の一実施形態に係るデジタル監視レコーダとこれに接続されるＷｅｂサーバ及びアクセス端末の概略構成を示す電気的ブロック構成図。
【図２】同デジタル監視レコーダからＷｅｂサーバへアップロードするフレーム画像データとカメラ情報ファイルによるアクセス端末での表示形態を示す図。
【図３】同デジタル監視レコーダの動作の流れを示すフローチャート。
【図４】同デジタル監視レコーダに接続されるＷｅｂサーバの動作の流れを示すフローチャート。
【符号の説明】
１０　デジタル監視レコーダ
１１ａ、１１ｂ、１１ｃ、１１ｄ　監視カメラ
１２　キャプチャ処理部
１４　動き検出部
１６　仮想ドライブ（監視情報ファイル生成手段）
１９　制御部
５０　インターネット網（通信回線網）
６０　Ｗｅｂサーバ（サーバ装置）
７０　アクセス端末
【図１】
2004146959.tif 000003
【図２】
2004146959.tif 000004
【図３】
2004146959.tif 000005
【図４】
2004146959.tif 000006